(57)【要約】【課題】本発明は、接続される複数の電子機器における消費電力や動作状態を一括管理して表示できるようにする。【解決手段】本発明は、接続対象である複数の電子機器における動作状態又は消費電力を示す状態情報Ｄ１、Ｄ２Ａ〜Ｄ２Ｅを当該複数の電子機器からそれぞれ入力し、複数の電子機器からそれぞれ入力した状態情報Ｄ１、Ｄ２Ａ〜Ｄ２Ｅと当該複数の電子機器とを対応させた状態一覧表画面Ｇ１を生成し、これを表示することにより、複数の電子機器における動作状態又は消費電力をユーザが直接確認することなく、状態一覧表画面Ｇ１を介してユーザに目視確認させることができる。【選択図】図３
2010020536.tif 000002
【特許請求の範囲】
【請求項１】
接続対象である複数の電子機器における動作状態及び消費電力を示す状態情報を当該複数の電子機器からそれぞれ入力する状態情報入力手段と、
上記複数の電子機器からそれぞれ入力した上記状態情報と当該複数の電子機器とを対応させた一覧表画面を生成する一覧表画面生成手段と、
上記一覧表画面を表示手段に表示させる表示制御手段と
を具える情報処理装置。
【請求項２】
上記一覧表画面生成手段は、上記状態情報として上記動作状態及び上記消費電力に加えて二酸化炭素排出量を上記複数の電子機器と対応させた上記一覧表画面を生成する
請求項１に記載の情報処理装置。
【請求項３】
上記動作状態は、少なくとも停止中状態又は起動中状態を示す
請求項２に記載の情報処理装置。
【請求項４】
上記起動中状態は、その起動中の処理内容を示す
請求項３に記載の情報処理装置。
【請求項５】
接続対象である複数の電子機器における動作状態又は消費電力を示す状態情報を所定の状態情報入力手段によって当該複数の電子機器からそれぞれ入力する状態情報入力ステップと、
上記複数の電子機器からそれぞれ入力した上記状態情報と当該複数の電子機器とを対応させた一覧表画面を所定の一覧表画面生成手段によって生成する一覧表画面生成ステップと、
上記一覧表画面を表示手段に対して表示させる表示制御ステップと
を有する接続機器状態表示方法。
【発明の詳細な説明】
【技術分野】
【０００１】
本発明は、情報処理装置及び接続機器状態表示方法に関し、例えば複数の電子機器が接続されるディジタルテレビに適用して好適なものである。
【背景技術】
【０００２】
従来、家庭内で用いられる電子機器がインターネット等のネットワークに接続されるようになったことにより、外出先から携帯電話機等を介して遠隔操作するシステムや、ユーザが寝ている間に呼吸数等の身体情報を蓄積し、簡単に日々の健康管理をサポートする睡眠モニタリングシステムが提案されている。
【０００３】
一方、家屋内に設置されたエアコン及びテレビ受像機に係る消費電力や電気料金を電力会社から請求されるデータに基づいて算出し、その算出結果をテレビ受像機の画面に表示する消費電力量表示装置が提案されている（例えば、特許文献１参照）。
【特許文献１】特開2002-40055公報
【０００４】
また、商用電源のコンセントと測定対象の電子機器との間に挟むことにより、当該電子機器の使用電力量、電気料金及び二酸化炭素量をリアルタイムに測定して表示する測定機器が既に商品化されている。
【発明の開示】
【発明が解決しようとする課題】
【０００５】
ところで上述した特許文献１に記載の消費電力量表示装置においては、測定対象のエアコン及びテレビ受像機の消費電力を測定するためのメータ装置を別個新たに設ける必要があり、更に送電設備に対して手を加えたり、配線をし直さなければならず複雑化及び大型化してしまうという問題があった。
【０００６】
また、上述した使用電力量、電気料金及び二酸化炭素量等を測定して表示する測定機器においては、測定対象の電子機器が１台だけであって、家庭内における全ての電子機器の測定結果を一覧表示するようなことは出来ないという問題があった。
【０００７】
本発明は以上の点を考慮してなされたもので、接続される複数の電子機器における消費電力や動作状態を一括管理して表示し得る情報処理装置及び接続機器状態表示方法を提案しようとするものである。
【課題を解決するための手段】
【０００８】
かかる課題を解決するため本発明においては、接続対象である複数の電子機器における動作状態又は消費電力を示す状態情報を当該複数の電子機器からそれぞれ入力し、複数の電子機器からそれぞれ入力した状態情報と当該複数の電子機器とを対応させた一覧表画面を生成し、当該一覧表画面を表示するようにする。
【０００９】
これにより、複数の電子機器における動作状態又は消費電力を直接確認することなく、一覧表画面を介してユーザに目視確認させることができる
【発明の効果】
【００１０】
本発明によれば、接続対象である複数の電子機器における動作状態又は消費電力を示す状態情報を当該複数の電子機器からそれぞれ入力し、複数の電子機器からそれぞれ入力した状態情報と当該複数の電子機器とを対応させた一覧表画面を生成し、当該一覧表画面を表示手段に表示させることにより、複数の電子機器における動作状態又は消費電力を直接確認することなく、一覧表画面を介してユーザに目視確認させることができ、かくして複数の電子機器における消費電力や動作状態を一括管理して表示し得る情報処理装置及び接続機器状態表示方法を実現することができる。
【発明を実施するための最良の形態】
【００１１】
以下、図面について、本発明の一実施の形態を詳述する。
【００１２】
（１）接続機器状態管理システムの構成
図１において、１は全体として一実施の形態における接続機器状態管理システムを示し、例えばリビングルームに設置されたディジタルテレビ２とＤＶＤ(Digital Versatile Disc)レコーダ４とが無線ＬＡＮルータ３を介して例えばＨＤＭＩ(High Definition Multimedia Interface)ケーブル等によって相互に接続されている。
【００１３】
また接続機器状態管理システム１では、他の部屋等に存在するパーソナルコンピュータ５、小型ディジタルテレビ６、ゲーム機７、エアーコンディショナー８（以下、これをエアコンと呼ぶ。）及び洗濯機９等と、無線ＬＡＮルータ３とが例えばIEEE(Institute of
Electrical and Electronics)802.11gにより無線接続されている。
【００１４】
因みに、無線接続方式としては、IEEE802.11gだけに限らず、IEEE802.11aやIEEE802.11n等、或いはブルートゥース（登録商標）であってもよい。
【００１５】
これにより接続機器状態管理システム１は、例えばリビングルームのディジタルテレビ２と、他の部屋にあるパーソナルコンピュータ５、小型ディジタルテレビ６、ゲーム機７、エアコン８及び洗濯機９とが無線ＬＡＮルータ３を介して接続されることになる。
【００１６】
因みに、接続機器状態管理システム１では、無線ＬＡＮルータ３と有線接続されるＤＶＤレコーダ４、無線ＬＡＮルータ３と無線接続されるパーソナルコンピュータ５、小型ディジタルテレビ６、ゲーム機７、エアコン８及び洗濯機９に対して、ローカルなＩＰ(Internet Protocol)アドレスが割り当てられ、当該ディジタルテレビ２と個別に無線通信し得るようになされている。
【００１７】
例えば、無線ＬＡＮルータ３は、ＤＶＤレコーダ４に対しては「192.168.0.1」のＩＰアドレスを割り当て、パーソナルコンピュータ５に対しては「192.168.0.2」のＩＰアドレスを割り当て、小型ディジタルテレビ６に対しては「192.168.0.3」のＩＰアドレスを割り当て、ゲーム機７に対しては「192.168.0.4」のＩＰアドレスを割り当て、エアコン８に対しては「192.168.0.5」のＩＰアドレスを割り当て、洗濯機９に対しては「192.168.0.6」のＩＰアドレスを割り当てる。
【００１８】
なお、接続機器状態管理システム１は、ディジタルテレビ２とＤＶＤレコーダ４とについても、無線ＬＡＮルータ３を介して有線接続ではなく無線接続されるようにしても良く、また接続対象の電子機器もこられに限られるものではない。
【００１９】
（２）ディジタルテレビの構成
図２に示すようにディジタルテレビ２は、ＣＰＵ(Central Processing Unit)構成でなる制御部１７が全体を統括制御すると共に、ＲＯＭ(Read Only Memory)等に格納された基本プログラムに従って地上波ディジタル放送のテレビ番組を例えばＬＣＤ(Liquid Crystal Display)でなるモニタＭＲに表示するといった通常の表示処理等を実行するようになされている。
【００２０】
具体的には、ディジタルテレビ２は、放送受信部１１によって地上波ディジタル放送のテレビ番組放送信号を受信し、これを信号処理部１５へ送出する。信号処理部１５は、テレビ番組放送信号に対して所定の復調処理及び復号化処理等を行うことによりテレビ番組映像信号及びテレビ番組音声信号に変換し、制御部１７へ送出する。
【００２１】
制御部１７は、テレビ番組映像信号を映像表示部１９へ供給し、当該テレビ番組映像信号に応じたテレビ番組映像をＬＣＤ等でなるモニタＭＲに表示すると共に、テレビ番組音声信号を音声出力部１８へ供給し、当該テレビ番組音声信号に応じたテレビ番組音声をスピーカＳＰから出力するようになされている。
【００２２】
またディジタルテレビ２は、外部入力部１２を介してＤＶＤレコーダ４からのＨＤＭＩ信号Ｓ１を受け取り、信号処理部１５へ送出する。因みに、ディジタルテレビ２は、ＨＤＭＩ信号Ｓ１以外にも、コンポーネント信号、ＰＣ(Personal Computer)入力信号等についても外部入力部１２を介して受け取るようになされている。
【００２３】
信号処理部１５は、ＨＤＭＩ信号Ｓ１について復調処理及び復号化処理等を行うことにより当該ＤＶＤレコーダ４の動作状態及び消費電力を示す状態情報Ｄ１を抽出し、これを制御部１７へ送出する。
【００２４】
ここで、状態情報Ｄ１が意味するＤＶＤレコーダ４の動作状態とは、例えば「録画中」、「再生中」、「地上波ディジタル放送受信中」、「停止中」等の当該ＤＶＤレコーダ４が取りえるステータスである。
【００２５】
また、状態情報Ｄ１が意味するＤＶＤレコーダ４の消費電力とは、当該ＤＶＤレコーダ４が電源投入時の動作開始から現時点までに消費された消費電力値（ＫＷ／ｈ）のカウント値である。
【００２６】
更にディジタルテレビ２は、例えば当該ディジタルテレビ２やＤＶＤレコーダ４のリモートコントローラ（以下、これをリモコンと呼ぶ。）から赤外線通信等によって供給される例えばＳＩＲＣＳ(Serial Infrared Remote Control System)コード等でなる操作信号Ｓ２をユーザ入力部１３から制御部１７へ送出する。
【００２７】
制御部１７は、操作信号Ｓ２の内容に応じて当該ディジタルテレビ２のチャンネルを変更したり、ボリューム調整を行い、グラフィカルユーザインタフェースの表示処理等の各種処理を実行し得るようになされている。
【００２８】
更にディジタルテレビ２は、ネットワーク情報入力部１４を介して、パーソナルコンピュータ５、小型ディジタルテレビ６、ゲーム機７、エアコン８及び洗濯機９から個別に送られてくる状態情報Ｄ２Ａ〜Ｄ２Ｅを制御部１７へ送出する。
【００２９】
ここで状態情報Ｄ２Ａ〜Ｄ２Ｅは、先程のＤＶＤレコーダ４における状態情報Ｄ１と同様、パーソナルコンピュータ５、小型ディジタルテレビ６、ゲーム機７、エアコン８及び洗濯機９にそれぞれ対応した動作状態及び消費電力を示すようになされている。
【００３０】
制御部１７は、外部入力部１２経由で受け取ったＤＶＤレコーダ４からの状態情報Ｄ１と、ネットワーク情報入力部１４経由で受け取ったパーソナルコンピュータ５、小型ディジタルテレビ６、ゲーム機７、エアコン８及び洗濯機９からの状態情報Ｄ２Ａ〜Ｄ２Ｅをネットワーク機器状態管理部１６へ送出する。
【００３１】
ネットワーク機器状態管理部１６は、状態情報Ｄ１及び状態情報Ｄ２Ａ〜Ｄ２Ｅを保存及び管理し、制御部１７からの要求に応じて状態情報Ｄ１及び状態情報Ｄ２Ａ〜Ｄ２Ｅを読み出して出力するようになされている。
【００３２】
このときネットワーク機器状態管理部１６は、状態情報Ｄ１及び状態情報Ｄ２Ａ〜Ｄ２Ｅに対してそれぞれ公開するか或いは公開しないかを示す旨のフラグが立てられており、公開しない旨のフラグが立てられている場合には、読み出さないようになされている。
【００３３】
制御部１７は、当該ディジタルテレビ２のリモコンから接続対象の電子機器における状態一覧表画面（後述する）を呼び出すための操作信号Ｓ２を受け取ると、ネットワーク機器状態管理部１６から状態情報Ｄ１及び状態情報Ｄ２Ａ〜Ｄ２Ｅを読み出し、所定のアプリケーションプログラムに従って図３に示すような状態一覧表画面Ｇ１を生成する。
【００３４】
そして制御部１７は、映像表示部１９を介してモニタＭＲに状態一覧表画面Ｇ１を表示するようになされている。
【００３５】
ここで状態一覧表画面Ｇ１は、ディジタルテレビ２と接続されている電子機器のＤＶＤレコーダ４、パーソナルコンピュータ５、小型ディジタルテレビ６、ゲーム機７、エアコン８及び洗濯機９のＩＰアドレス、電子機器名、消費電力及び各種動作状態が表示されている。
【００３６】
この状態一覧表画面Ｇ１では、ＤＶＤレコーダ４については、消費電力「１０ＫＷｈ」で、その動作状態としては、「停止中」、「録画中」、「地上ディジタル表示中」等があり、その何れかが表示されている。
【００３７】
また状態一覧表画面Ｇ１では、パーソナルコンピュータ５については、消費電力「０ＫＷｈ」で、その動作状態としては、「停止中」、「起動中」、「インターネット接続中」等があり、その何れかが表示されている。
【００３８】
さらに状態一覧表画面Ｇ１では、小型ディジタルテレビ６については、消費電力「１２０ＫＷｈ」で、その動作状態としては、「停止中」、「起動中」、「ＨＤＭＩ視聴中」等があり、その何れかが表示されている。
【００３９】
さらに状態一覧表画面Ｇ１では、ゲーム機７については、消費電力「５５ＫＷｈ」で、その動作状態としては、「停止中」、「起動中」、「ゲーム中」等があり、その何れかが表示されている。
【００４０】
さらに状態一覧表画面Ｇ１では、エアコン８については、消費電力「４０ＫＷｈ」で、その動作状態としては、「停止中」、「起動中」、「除湿中」等があり、その何れかが表示されている。
【００４１】
さらに状態一覧表画面Ｇ１では、洗濯機９については、消費電力「０ＫＷｈ」で、その動作状態としては、「停止中」、「起動中」、「脱水中」等があり、その何れかが表示されている。
【００４２】
このようにディジタルテレビ２の制御部１７は、状態一覧表画面Ｇ１を介して、接続中のＤＶＤレコーダ４、パーソナルコンピュータ５、小型ディジタルテレビ６、ゲーム機７、エアコン８及び洗濯機９におけるＩＰアドレス、電子機器名、消費電力及び各種動作状態をユーザに対して目視確認させ得るようになされている。
【００４３】
（３）状態一覧表画面表示処理手順
続いて、ディジタルテレビ２により状態一覧表画面Ｇ１を表示するまでの状態一覧表画面表示処理手順について、図４のフローチャートに従って説明する。
【００４４】
ディジタルテレビ２の制御部１７はルーチンＲＴ１の開始ステップから入って次のステップＳＰ１へ移り、当該ディジタルテレビ２のリモコンを介して状態一覧表画面Ｇ１を呼び出すための命令である操作信号Ｓ２を受け取ると、次のステップＳＰ２へ移る。
【００４５】
ステップＳＰ２においてディジタルテレビ２の制御部１７は、無線ＬＡＮルータ３を介してネットワーク接続されている電子機器が存在するか否かを判定し、存在しないときは否定結果を得てステップＳＰ６へ移る。この場合、ステップＳＰ６において制御部１７は、空欄の状態一覧表画面Ｇ１を生成して表示し、次のステップＳＰ７へ移って処理を終了する。
【００４６】
これに対してステップＳＰ２で肯定結果が得られると、このことはＩＰアドレスが割り当てられた接続対象の電子機器が存在していることを表しており、このときディジタルテレビ２の制御部１７は、次のステップＳＰ３へ移る。
【００４７】
ステップＳＰ３においてディジタルテレビ２の制御部１７は、ネットワーク機器状態管理部１６を介して、状態情報Ｄ１、Ｄ２Ａ〜Ｄ２Ｅのフラグに基づいて公開可能な電子機器があるか否かを判定し、否定結果が得られると、全ての電子機器が非公開となっている旨をモニタＭＲに表示した後、ステップＳＰ５へ移る。
【００４８】
これに対してステップＳＰ３で肯定結果が得られると、このことは公開可能な電子機器があること、すなわち全ての電子機器が公開可能であるか、或いはその一部の電子機器が公開可能であることを表しており、このときディジタルテレビ２の制御部１７は次のステップＳＰ４へ移る。
【００４９】
ステップＳＰ４においてディジタルテレビ２の制御部１７は、公開可能な電子機器（この場合、ＤＶＤレコーダ４、パーソナルコンピュータ５、小型ディジタルテレビ６、ゲーム機７、エアコン８及び洗濯機９）の状態情報Ｄ１、Ｄ２Ａ〜Ｄ２Ｅをネットワーク機器状態管理部１６から取得し、次のステップＳＰ５へ移る。
【００５０】
ステップＳＰ５においてディジタルテレビ２の制御部１７は、公開可能な全ての電子機器（ＤＶＤレコーダ４、パーソナルコンピュータ５、小型ディジタルテレビ６、ゲーム機７、エアコン８及び洗濯機９）から状態情報Ｄ１、Ｄ２Ａ〜Ｄ２Ｅを取得し終わったか否かを判定する。
【００５１】
ここで否定結果が得られると、このことは未だ取得し終わっていない状態情報Ｄ１、Ｄ２Ａ〜Ｄ２Ｅが残っていることを表しており、このときディジタルテレビ２の制御部１７は、ステップＳＰ３へ戻って上述の処理を繰り返す。
【００５２】
これに対してステップＳＰ５で肯定結果が得られると、このことは公開可能な全ての電子機器から状態情報Ｄ１、Ｄ２Ａ〜Ｄ２Ｅを取得し終わり、状態一覧表画面Ｇ１を生成するための準備が整ったことを表しており、このときディジタルテレビ２の制御部１７は次のステップＳＰ６へ移る。
【００５３】
ステップＳＰ６においてディジタルテレビ２の制御部１７は、電子機器から状態情報Ｄ１、Ｄ２Ａ〜Ｄ２Ｅを基に、図３に示したような状態一覧表画面Ｇ１を生成した後、映像表示部１９を介してモニタＭＲに表示し、次のステップＳＰ７へ移って処理を終了する。
【００５４】
（４）動作及び効果
以上の構成において、ディジタルテレビ２の制御部１７は、所定のアプリケーションプログラムに従い、無線ＬＡＮルータ３を介してネットワーク接続されたＤＶＤレコーダ４、パーソナルコンピュータ５、小型ディジタルテレビ６、ゲーム機７、エアコン８及び洗濯機９から取得した状態情報Ｄ１、Ｄ２Ａ〜Ｄ２Ｅに基づいて、図３に示したような状態一覧表画面Ｇ１を生成し、これをモニタＭＲに表示する。
【００５５】
これによりディジタルテレビ２の制御部１７は、状態一覧表画面Ｇ１を介して当該ディジタルテレビ２と接続された全ての電子機器における消費電力や、その動作状態をユーザに対して目視確認させることができる。
【００５６】
従ってディジタルテレビ２の制御部１７は、例えば１階のリビングルームに当該ディジタルテレビ２が設置され、２階の子供部屋に小型ディジタルテレビ６及びゲーム機７が設置されていた場合でも、状態一覧表画面Ｇ１（図３）により、小型ディジタルテレビ６及びゲーム機７の消費電力や動作状態を通じて子供がゲームを何時間程度しているのかを親に知らせることができる。
【００５７】
またディジタルテレビ２の制御部１７は、例えば寝室に当該ディジタルテレビ２が設置され、リビングルームにＤＶＤレコーダ４が設置されていた場合でも、ＤＶＤレコーダ４による録画が開始されたか否かを、状態一覧表画面（図３）により寝室のユーザに対して通知することができる。
【００５８】
さらにディジタルテレビ２の制御部１７は、例えば新型タイプのエアコン８と、旧型タイプのエアコン（図示せず）とが無線ＬＡＮルータ３を介して接続されていたような場合、状態一覧表画面（図３）を介して、新型と旧型との消費電力の違いをユーザに確認させることもできる。
【００５９】
さらにディジタルテレビ２の制御部１７は、例えばリビングルームに当該ディジタルテレビ２が設置され、他の部屋に洗濯機９が設置されていた場合でも、状態一覧表画面（図３）を介して、洗濯機９が未だ脱水中なのか、終了しているのかをユーザに確認させることができる。
【００６０】
さらにディジタルテレビ２の制御部１７は、状態一覧表画面（図３）を介して、エアコン８の設定温度を１度だけ下げたときに消費電力がどれ位だけ下がるのかをモニタＭＲの状態一覧表画面（図３）を介してユーザに確認させることもできる。
【００６１】
これに加えてディジタルテレビ２の制御部１７は、電子機器の電源をオフにして待機電力の浪費を抑制するような省エネ活動が、消費電力の削減にどれ位反映されるかについても状態一覧表画面（図３）を介して確認させることができる。
【００６２】
以上の構成によれば、ディジタルテレビ２の制御部１７は、状態一覧表画面（図３）を介して、接続対象である電子機器の消費電力やその動作状態を一括管理した状態でユーザに目視確認させることができる。
【００６３】
（５）他の実施の形態
なお上述の実施の形態においては、ディジタルテレビ２とパーソナルコンピュータ５、小型ディジタルテレビ６、ゲーム機７、エアコン８及び洗濯機９等とを無線ＬＡＮルータ３を介して接続するようにした場合について述べた。
【００６４】
しかしながら、本発明はこれに限らず、ディジタルテレビ２の内部に無線ＬＡＮルータ３の機能を搭載し、ディジタルテレビ２とパーソナルコンピュータ５、小型ディジタルテレビ６、ゲーム機７、エアコン８及び洗濯機９等とを直接無線接続するようにしても良い。
【００６５】
また上述の実施の形態においては、ディジタルテレビ２に接続された電子機器の動作状態又は消費電力を示す状態情報Ｄ１、Ｄ２Ａ〜Ｄ２Ｅを取得し、これを基に状態一覧表画面Ｇ１を生成して表示するようにした場合について述べた。
【００６６】
しかしながら、本発明はこれに限らず、ディジタルテレビ２ではエコロジー的な観点から、動作状態又は消費電力だけではなく、動作状態、消費電力にＣＯ２排出量（ｋｇ−ＣＯ２／ｈ）を加えた状態情報Ｄ１、Ｄ２Ａ〜Ｄ２Ｅを取得し、これを基に状態一覧表画面Ｇ１を生成して表示するようにしても良い。
【００６７】
さらに上述の実施の形態においては、ディジタルテレビ２に対してパーソナルコンピュータ５、小型ディジタルテレビ６、ゲーム機７、エアコン８及び洗濯機９等の電子機器を接続するようにした場合について述べた。
【００６８】
しかしながら、本発明はこれに限らず、例えばガス機器や、玄関のオートロック機器についても無線ＬＡＮルータ３を介してディジタルテレビ２と接続すれば、ガス漏れや、施錠状態についても、状態一覧表画面Ｇ１を介してユーザに目視確認させることができる。
【００６９】
さらに上述の実施の形態においては、ディジタルテレビ２が予めインストールされたアプリケーションプログラムに従い、上述したルーチンＲＴ１における状態一覧表画面表示処理手順を実行するようにした場合について述べた。
【００７０】
しかしながら、本発明はこれに限らず、ディジタルテレビ２においては、所定の記録媒体からインストールしたアプリケーションプログラムや、インターネットからダウンロードしたアプリケーションプログラム、その他種々のルートによってインストールしたアプリケーションプログラムに従って上述したルーチンＲＴ１の状態一覧表画面表示処理手順を実行するようにしても良い。
【００７１】
さらに上述の実施の形態においては、状態一覧表画面Ｇ１を介して接続対象の電子機器における動作状態及び消費電力を表示するようにした場合について述べたが、本発明はこれに限らず、それらに加えて電子機器ごとの消費電力の比較結果を表示するようにしても良い。
【００７２】
さらに上述の実施の形態においては、状態情報入力手段としての外部入力部１２及びネットワーク情報入力部１４、一覧表画面生成手段及び表示制御手段としての制御部１７によって本発明の情報処理装置を構成するようにした場合について述べたが、本発明はこれに限らず、その他種々のハードウェア構成又はソフトウェア構成でなる状態情報入力手段、一覧表画面生成手段及び表示制御手段によって本発明の情報処理装置を構成するようにしても良い。
【産業上の利用可能性】
【００７３】
本発明の情報処理装置及び接続機器状態表示方法は、例えばディジタルテレビだけではなく、同様の機能を有するコンピュータ装置、ＰＤＡ(Personal Digital Assistant)、携帯電話機及びゲーム機等の各種電子機器に適用することができる。
【図面の簡単な説明】
【００７４】
【図１】接続機器状態管理システムの構成を示す略線的斜視図である。
【図２】ディジタルテレビの構成を示す略線的ブロック図である。
【図３】状態一覧表画面を示す略線図である。
【図４】状態一覧表画面表示処理手順を示すフローチャートである。
【符号の説明】
【００７５】
１……接続機器状態管理システム、２……ディジタルテレビ、３……無線ＬＡＮルータ、４……ＤＶＤレコーダ、５……パーソナルコンピュータ、６……小型ディジタルテレビ、７……ゲーム機、８……エアコン、９……洗濯機、１１……放送受信部、１２……外部入力部、１３……ユーザ入力部、１４……ネットワーク情報入力部、１５……信号処理部、１６……ネットワーク機器状態管理部、１７……制御部、１８……音声出力部、１９……映像表示部、ＳＰ……スピーカ、ＭＲ……モニタ、Ｇ１……状態一覧表画面。
【図１】
2010020536.tif 000003
【図２】
2010020536.tif 000004
【図３】
2010020536.tif 000005
【図４】
2010020536.tif 000006